(57)【要約】  治療的処置用のウェイトカバー（１０）は、その重さを増加させるために、ウェイトカバーの織物層間の複数のチャネル（１２）に置かれた複数の要素（２０）を有する。チャネルは、カバーの長さに沿って並行して配置される。要素（２０）は、各々、加重されたバンド（２０）を形成し、ユーザーの身体の形状に沿う、矩形の繊維を含有する密閉ケースとして構成される。加重されたバンドは、単位長さあたり定数の繊維を含有する。ウェイトカバーは、絶縁性布地層（４２）を有する。加重されたバンド（２０）は、ウェイトカバー（１０）の第２の固定手段（４４）と係合する第１の固定手段（２２）を有する。
2016510233.tif 000002
【特許請求の範囲】
【請求項１】
ウェイトカバーの重さを増加させるための複数の要素（２０）を含む治療的処置用のウェイトカバーであって、ここで、該要素（２０）は、ウェイトカバー（１０）の第１の織物層（１１）と第２の織物層（４０）間の複数のチャネル（１２）に置かれ、該チャネルは、カバーの長さ及び／又はカバーの幅に沿って、本質的には並行に配置され、それにより、バンド状の重みがカバー全体に与えられるウェイトカバーであって、該複数の対象物（２０）の各々が、加重されたバンド（２０）を形成する、その長さに沿って線維を含む密閉ケースとして構成され、ウェイトカバー（１０）のユーザーの体形に沿う上記ウェイトカバー。
【請求項２】
前記ケースが、その長さに対して垂直に縫い付けられ、それによって、加重されたバンド（２０）は、単位長さあたり定数の繊維を含むことによって特徴付けられる、請求項１に記載のウェイトカバー（１０）。
【請求項３】
前記繊維が矩形（ｏｂｌｏｎｇ）であり、かつケース内で縦方向に配置される、請求項１又は２に記載のウェイトカバー（１０）。
【請求項４】
前記線維が、ポリエステル又は類似した種類の高分子材料で作られていることによって特徴付けられる、請求項１、２又は３に記載のウェイトカバー（１０）。
【請求項５】
前記加重されたバンド（２０）が５００〜１０００グラムの重量であることによって特徴付けられる、請求項１又は２に記載のウェイトカバー（１０）。
【請求項６】
加重されたバンド（２０）が、少なくとも１つの第２の固定手段（４４）と係合するようになる、該バンドの短辺の各々で配置された少なくとも第１の手段（２２）を有し、該第２の固定手段は、ウェイトカバー（１０）の第２の織物層（４０）に面するウェイトカバー（１０）の第１の織物層（１１）の各々の短辺で配置された横断バンド（４３）で配置されることによって特徴付けられる、請求項１に記載のウェイトカバー（１０）。
【請求項７】
前記ウェイトカバーが、第２の織物層（４０）に向かって配置される第３の織物層（４１）と、第２の織物層（４０）と該第３の層（４１）の間に配置される絶縁性布地層（４２）を含み、該第３の織物層、絶縁性布地層及び第２の織物層は、ユニットを形成するそれらの短辺に沿って一緒に縫い付けられ、そのユニットは、ウェイトカバー（１０）のチャネル（１２）が自由に開くように、第１の織物層（１）に対する長辺に沿ってサイドバンド（３０）とともに配置されることによって特徴付けられる、請求項１〜６のいずれか１項に記載のウェイトカバー（１０）。
【請求項８】
第１の固定手段がプッシュボタンの雌部であり、第２の固定手段がプッシュボタンの雄部であることによって特徴付けられる、請求項６に記載のウェイトカバー（１０）。
【請求項９】
第１の固定手段がボタンであり、第２の固定手段がボタンホール又はスリットであることによって特徴付けられる、請求項６に記載のウェイトカバー（１０）。
【請求項１０】
加重されたバンド（２０）が、縫い目によって第１の織物層（１１）の短辺に付けられることによって特徴付けられる、請求項１に記載のウェイトカバー（１０）。
【発明の詳細な説明】
【技術分野】
【０００１】
本発明は、治療的処置用に適した加重されたカバーに関し、該加重されたカバーは、その重さを増加させるために該カバーのチャネル内に配置される複数の要素を含む。
【背景技術】
【０００２】
不安、情緒不安又は感覚運動障害を患っている人々は、寛ぐことが困難であり、平静を見出すことが困難であり、睡眠困難である。例えば、認知機能障害を有する人々は、時間感覚の問題、記憶する問題、及び彼らの活動を計画する問題を有する。特に、ＡＤＨＤ症候群又はアルペルガー症候群を有する子供は、学習の困難性、理解力の障害、及び問題解決の障害を有する。
【０００３】
夜間に睡眠カバーとして使用される場合、又は日中にリラックスのために身体に巻き付ける場合、ウェイトカバーは、上述した不快感の軽減又は緩和を与えることが知られている。ウェイトカバーは、中枢神経系に影響を与える身体の表面と深い触覚性の両方にポジティブな影響を与えるウェイトカバーの重みによる触覚刺激を与える。触覚経験は、身体イメージを強め、これは、安心感及び休息の経験をユーザーに提供する身体の境界を印すのを助けるためである。
【０００４】
調査は、身体に対する圧力が、人々へ鎮静作用をもたらす、オキシトシンなどの身体に特異的な物質の放出を刺激することを示している。圧力が、身体の形状に沿うように適合される場合、触覚刺激は、ユーザーの有利な結果を増加させ、増強する。特に、自閉症、認知症、多動性を患っている、又は感覚印象に関する問題を抱えている人々に対して、ウェイトカバーの使用に関連する有益な効果は、ユーザー、親戚及びヘルスケア提供者によって確認されている。
【０００５】
現在知られているウェイトカバーは、例えば、プラスチック製ボール、砂、砂粒（ｇｒｉｔ）、ポップコーン、金属製ボールなど、該カバーのポケットに多種多様の充填物を有する。このようなタイプの充填物を伴う問題は、充填物がポケットの最下部に向かって落下するため、人々の身体の形状に沿う、制御された安定した圧力を維持することが困難であることである。既知のウェイトカバーの他の欠点は、それを扱う場合の見苦しさであり、例えば、折り畳み及び保管時、又はそれらの温度を維持する能力を制御する困難性が挙げられる。別の欠点は、充填物が洗濯機で通常に洗浄することができないため、衛生的な要件を維持することである。
【０００６】
特許文献ＳＥ５３２４０２は、カバーの重量を増加させるためにカバーの縦又は横方向のチャネルに置かれる、チェーンのような形態を有する連結要素を含む治療用処置のためのウェイトカバーを記載する。チェーンは、締め付け手段によって、又はループ及びリボンを含む手段によって、カバーの端に固定される。ループによるチェーンの取り付けに起因して、カバーの圧力が、その長さに沿って均一に分散されない。チェーンを含むウェイトカバーの重大な欠点は、カバーを使用する人々が、自分自身又は他人を傷つけ得るという危険性である。金属製の容易に入手し易い対象物は、いずれかのタイプの行動障害又は機能不全を患っている人々を治療するための環境において避けられるべきである。
【０００７】
安全であり、ユーザーに対して効果を増加させる所望の圧力を与え、身体適応と体温の両方に関してユーザーに快適であるウェイトカバーが必要である。さらに、衛生要件を満たすことができ、洗浄及び操作が容易であり、使用しないときに保管することが容易であるウェイトカバーが必要とされる。
【発明の概要】
【課題を解決するための手段】
【０００８】
以下の本発明の説明において、カバーは、例えば、睡眠時又は休息時に使用される、治療的処置用のある種のブランケットとして定義される。
【０００９】
本発明の目的は、上記欠点を解消し、請求項１に記載の特徴を有するウェイトカバーを提供することにある。本発明のより具体的な目的は、ウェイトカバーの重量を増加させるための複数の要素を含む治療的処置用のカバーを提供することであり、ここで、該要素は、ウェイトカバーの第１及と第２の織物層間で、対応する複数のチャンネルにおいて配置される。
【００１０】
チャネルは、上記カバーの長さ及び／又は幅に沿って、本質的には並列に配置される。要素の各々は、カバーのユーザーの身体に沿う加重されたバンドを形成する、要素の長さに沿って繊維を含む密閉されたケースとして構成される。該ケースは、その長さに対して垂直に縫い付けられ、このようにして、該加重されたバンドは、単位長さあたり定数の繊維を含有する。繊維は、矩形（ｏｂｌｏｎｇ）であり、ケース内で縦方向に配置される。それらは、ポリエステル又は類似した種類の高分子材料で作製される。繊維の量は、ユーザーのニーズに適合させることができ、例えば、カバーは、子供に対するよりも成人に対して重くすることができる。加重されたバンドの各々は、約５００〜１０００グラムの重量を有する。
【００１１】
加重されたバンドは、それぞれ、それらの短辺の各々で配置された少なくとも第１の固定手段を有し、それは、少なくとも第２の固定手段と係合している。該少なくとも第２の固定手段は、横断バンドに配置され、加重されたカバーの第１の織物層の短辺の各々に対して縫い付けられる。固定手段は彼女及び彼に接触していないため、固定手段は、加重されたカバーのユーザーに増加した快適さを与える該カバーの第２の織物層に面している。例えば、第一の固定手段は、プッシュボタンの雌部であってもよく、次に、第２の固定手段は、該プッシュボタンの雄部である。あるいは、第１の固定手段は、ボタン又はリボンであってもよく、次に、第２の固定手段は、それぞれ、ボタンまたはループのためのホールである。
【００１２】
ウェイトカバーは、第３の織物層、及び第２の織物層と該第３の織物層の間に配置された絶縁製布地層を有し、この場合、３つの層は、それぞれ、それらの短辺に沿って一緒に縫い付けられ、ユニットを形成する。このユニットは、包み込むサイドバンドによって第１の織物層に対して、その長辺に沿って固定され、このようにして、ウェイトカバーのチャネルは開かれたままとなる。
【００１３】
代替的な実施形態によれば、加重されたバンドは、縫い目によって第１の織物層の短辺に取り付けられる。この場合、固定手段は除かれる。
【００１４】
本発明の更なる目的、特徴及び利点は、以下の詳細な説明、添付の図面及び従属請求項から明らかになる。
【００１５】
本発明を説明するために、本発明の実施形態は、図面を参照して以下に説明される。
【図面の簡単な説明】
【００１６】
【図１】図１は、部分的に切り欠いている第１の織物層を有する本発明によるウェイトカバーの模式的な水平図である。
【図２】図２は、図１のウェイトカバーのチャネルに置かれる加重されたバンドの模式的な水平図である。
【図３】図３は、第１の織物層が除かれた、図１のウェイトカバーの拡大された区域Ａの模式図である。
【図４】図４は、図１のウェイトカバーの短辺からのウェイトカバーの一部を示す模式的な分解図である。
【図５】図５は、図１のウェイトカバーの短辺からのウェイトカバーの一部を示す模式的な垂直図である。
【図６】図６は、図１のウェイトカバーのチャネルに置かれる、ウェイトカバーの短辺から見た加重されたバンドの模式図である。
【図７】図７は、図１のウェイトカバーのチャネルへの加重されたバンドの配置を示す、図１のウェイトカバーの一部の模式図である。  同じ参照番号は、説明の読み易さを増加させ、明確性の目的で、図面中、同じ部分を示すために使用されている。
【発明を実施するための形態】
【００１７】
発明の実施形態の説明
本発明によるウェイトカバーは、図面を参照にして、以下に説明される。ウェイトカバー１０は、例えば、感覚障害、認知機能障害、情動不安又は不安を患っている人々の治療用処置における使用が意図される。ＡＤＨＤ又はアスペルガー症候群などの様々な種類の機能不全性を有する人々は、調査によって示されている、ウェイトカバーを用いた場合の睡眠時又は休息時に迅速かつ容易に緩和に到達する。
【００１８】
本発明によるウェイトカバーの目的は、ヒトに、それ自身の身体のより良好なアイデア、身体に対する感覚、身体の境界を与えるために、身体に対して圧力を増加させることである。本発明のウェイトカバーの重さは、該カバーの構造に起因して身体の外形に沿い、これは触覚刺激を増加させ、結果として、緩和のポジティブな効果をユーザーに増加させる。
【００１９】
図１は、部分的に切り欠いている第１の織物層１１を有する本発明の第１の実施形態によるウェイトカバー１０を模式的に示す。ウェイトカバー１０は、第１の織物層１１と第２の織物層４０を有する（図４参照）。該カバー１０は、第２の織物層４０に面するように配置される第３の織物層４１（図４参照）を有する。絶縁性布地層４２（図４参照）は、それぞれ、織物層４０と４１の間に配置される。
【００２０】
複数のチャネル１２は、第１の織物層１１と第２の織物層４０の間に長さ方向に配置される。チャネル１２は、カバー１０の短辺の各々で開いている。カバー１０の長辺の各々は閉じている。チャネル１２は、織物１１、４０、４１の３層と絶縁性布地層４２を通して、かつカバー１０の長辺１４と並列して縫い付けられている縫い目１５によって形成され、これは、以下に詳細に説明される。
【００２１】
図２は、以下に加重されたバンドを表すいくつかの要素２０の１つを示し、これは、その重量を増加させるために、ウェイトカバー１０のチャネル１２に置かれる。加重されたバンドは、その長さに沿って繊維を含有する閉じたケースとして構成又は形成される。これらのケースは、綿の高密度のウェブ（ｗｅｂ）又は組織、合成材料又はそれらの混合物で作られ、難燃性である。繊維は、ポリエステル又は類似の高分子材料で作られる。第一の実施形態によれば、繊維は、矩形の形状を有し、ケース内に長さ方向に配置される。代替的な実施形態によれば、繊維は、別の形状を有してもよい。
【００２２】
各ケースは、その長さに対して垂直に縫い付けられ、複数の密閉されたコンパートメント又はポケット２１を形成し、その結果、それぞれのケースが単位長さあたり定数の繊維を含むようになる。各々の加重されたバンドは、重さが５００〜１０００グラムである。加重されたバンド２０の各々は、ウェイトカバー１０に配置される少なくとも１つの固定手段２２を有し、これは、以下に説明される。
【００２３】
図３は、ウェイトカバー１０のＡ区域の拡大図を示す。チャネル１２は、該カバー１０の幅に対して均一に配置される。互いにある距離、例えば、５〜５０ｍｍ、又はより好ましくは１０〜３０ｍｍで二重に、縫い目１５を縫い付けることによって形成される、該チャネル間に隙間があってもよい。チャネル１２の幅は任意であってもよく、例えば、３０〜１００ｍｍである。カバー１０は、サイドバンド３０を有し、該バンドは、これらを包むカバー１０の長辺１４の各々に沿って縫い付けられ、３つの織物層１１、４０及び４１と、絶縁性布地層４２を一緒に維持している。類似したサイドバンド３１は、第２の織物層４０と、ウェイトカバー１０の短辺１３でこれらの３つの層を一緒に維持するために、互いの間で絶縁性布地層４２を有する第３の布層４１とを包んでいる。
【００２４】
図４は、図１のウェイトカバー１０の短辺からの該ウェイトカバーの一部の分解図を示す。第１の織物層１１は、ウェイトカバー１０の第１の外面を形成する。横断バンド４３は、第１の織物層１１の短辺を包んでいるサイドバンド３１の下方で、例えば、縫い目又は接着剤によって、横断バンドの長辺の１つに沿って、第１の織物層に配置される。加重されたバンド２０を固定するための第１の固定手段４４は、横断バンド４３で配置される。横断バンド４３は、ナイロン又は類似した材料などのポリアミドで作られている。さらに、図４は、第２の織物層４０、絶縁性布地層４２、及びウェイトカバー１０の第２の外面を形成する第３の織物層４１を示す。場合により、縫い目４５は、織物層４１に適用され、さらにカバーを製造する前に、適所に最後のものを維持するために絶縁性布地層４２に適用され得る。
【００２５】
ウェイトカバー１０の製造時に、第一に、横断バンド４３は、織物層１１の短辺を包み込むサイドバンド３１の下方に、横断バンドの長辺の１つとともに配置される。横断バンド４３とサイドバンド３１の各々は、それぞれ、織物層１１と一緒に縫い付けられる。第３の織物層４１は、織物層４０と４１の間に配置された絶縁性布地層４２を有する第２の織物層４０に向かって配置され、ユニット形成する。サイドバンド３１は、該ユニットの短辺に沿って配置され、これを包み込むために縫い付けによって固定される。
【００２６】
第２の織物層４０は、第１の織物層１１に向かって置かれ、このようにして、横断バンド４３は織物層４０に面している。チャネル１２は、縫い目１５によって織物層１１と４０の間に形成され、上記ユニットと織物層１１を通して縫い付けられる。縫い目１５は、ウェイトカバー１０の短辺１３まで幅広く縫い付けられていない；それらは、横断バンド４３で終了している。最後に、包み込まれているサイドバンド３０は、全ての層を一緒に維持するために、カバーの長辺１４の各々に沿って配置される。チャンネル１２は、チャネル２に加重されたカバーの配置を可能にする、カバー１０の両短辺１３で自由に開かれる。
【００２７】
第１の固定手段２２は、加重されたバンドの各終端で配置される。第２の固定手段４４は、第１の固定手段２２と係合するようになり、横断バンド４３に配置される。例えば、固定手段は、プッシュボタン、又はボタン及びホール若しくはスリット、又は協同するリボン及びループの、それぞれ、雌部と雄部であってもよい。
【００２８】
図５は、図１のウェイトカバー１０の短辺から、該ウェイトカバーの垂直図を模式的に示し、この場合、カバーは、チャネル１２間で二重の縫い目１５を有する。
【００２９】
図６は、図１によるウェイトカバー１０のチャネル２に置かれる、第１の固定手段２２を有する、その短辺視野からの加重されたバンド２０を示す。
【００３０】
チャネル１２への加重されたバンド２０の配置時に、これらは、チャネル２に挿入され、図７に示されるように、第１の固定手段２２と第２の固定手段４４によって、それらの終端の両方で固定される。加重されたバンド２０の各々は、１つ又はいくつかの第１の固定手段２２を有することができる。
【００３１】
代替的な実施形態によれば、加重されたバンドは、その短辺の各々で縫い目によって第１の織物層に配置される。この場合、横断バンド４３を省略することができる。
【００３２】
織物層１１、４０、及び４１は、それぞれ、難燃性布地材、好ましくは綿ウェブ又はポリエステル材で作られている。絶縁性布地層４２は、年の時期に依存して様々な厚さを有することができ、例えば、１０〜１５ｍｍが挙げられる。記載されるウェイトカバーは、ユーザーが成人又は子供であるかに応じて、異なるサイズで製造することができる。例えば、カバーは、幅が１０００〜１５０００ｍｍであり、長さが１５００〜２３００ｍｍであってもよい。
【００３３】
代替的な実施形態において、ウェイトカバーは、２つの部分を含むことができ、この場合、部分の各々は、幅が５００〜７５０ｍｍであり、長さ１５００〜２３００ｍｍである。この場合において、２つの部分は、例えば、ジッパー又別のタイプの接合手段によって接続される。２つの部分を有する主な理由は、例えば洗濯時に、その取り扱いを容易にするカバーをダウンサイズすることである。
【００３４】
ウェイトカバーの使用は、例えば、人々がソファ又はアームチェアに座っているとき、肩及び背中の周りにベッドシートを有する夜のための睡眠カバーとして、又は肩及び背中の周りを包むように、人々の特別の必要性のために、重さ及びサイズの点で適合されてもよい。すべてのチャンネルは、加重されたバンドを含む必要はない；チャネルの一部が空であってもよい。あるいは、異なるチャネルの加重されたバンドは、カバーに対して様々な圧力を生み出すために重さを変化させてもよい。カバーを意図し、カスタマイズするユーザーに総重量を適合することは容易である。
【００３５】
容易に取り外し可能である、加重されたバンドとして形成された重さの要素を有するウェイトカバー１０の構造に起因して、加重されたカバー１０は、使用していない場合に保管が容易であり、同時に、持ち出し又は移動が容易である。また、カバーは、洗浄時に操作が容易であり、これは、加重されたバンドが、チャネルから取り外され、次に、洗浄され、別々に乾燥し得るためである。
【００３６】
提示されるウェイトカバーから得られた総利益は、休息及び睡眠中に、重篤な機能不全性を有する人々を効果的に治療する可能性を増加させることである。同時に、重さ適応、衛生面、及びカバーを扱う能力での柔軟性に関連する要件が満たされている。
【００３７】
提示される説明は、本発明の原理の例示として見なされるべきであり、記載された特定の実施形態に本発明を限定することを意図しない。当業者に容易に理解されるように、本発明の保護の範囲内で代替の実施形態が存在し得る。例えば、ウェイトカバーの代替的な実施形態は、第１及び第２の織物層を含むことができ、第３の織物層を含まなくもよい。別の実施形態は、上記した長辺に沿う代わりに、カバーの短辺に沿って並行して配置されたチャンネルを含むことができる。
【００３８】
特許請求の範囲において、用語「含む／含んでいる」は、他の要素又はステップの存在を排除しない。特許請求の範囲における参照符号は、明確化の例として提供され、いかなる方法でも範囲を限定するものとして解釈されるべきではない。
【図１】
2016510233.tif 000003
【図２】
2016510233.tif 000004
【図３】
2016510233.tif 000005
【図４】
2016510233.tif 000006
【図５】
2016510233.tif 000007
【図６】
2016510233.tif 000008
【図７】
2016510233.tif 000009
【国際調査報告】
2016510233.tif 000010
2016510233.tif 000011
2016510233.tif 000012